(57)【特許請求の範囲】
【請求項１】
上方または斜め上方に開口する排出口が少なくとも形成された装置ケーシングと、
前記装置ケーシング内に設けられ、記録媒体に対して記録を行う記録部と、
前記装置ケーシング内に設けられ、前記記録部によって記録が行われた記録媒体を搬送する搬送手段と、
前記装置ケーシング内において上下方向または斜め上下方向に延びるとともに前記排出口に連続する収容空間を区画形成し、前記搬送手段によって搬送された記録媒体を当該記録媒体の周囲全てを覆いつつ起立した状態に収容する収容部と、
前記収容部に設けられ、記録媒体の取り出し時に、排出命令信号の入力により、前記収容部に収容された記録媒体の一部または全部を前記排出口から排出するように前記記録媒体を上方に搬送する上方搬送手段と
を備えている記録装置。
【請求項２】
請求項１に記載の記録装置であって、
収容部内の記録媒体の寸法を検出する寸法検出手段を備え、
上方搬送手段は、記録媒体を排出口から所定の一定長さだけ突出させるように、前記寸法検出手段により検出された記録媒体の寸法に応じた量だけ前記記録媒体を上方に搬送するように構成されている記録装置。
【請求項３】
請求項１に記載の記録装置であって、
記録媒体の寸法を入力する入力手段と、
前記入力手段に入力された記録媒体の寸法を記憶する寸法記憶手段とを備え、
上方搬送手段は、記録媒体を排出口から所定の一定長さだけ突出させるように、前記寸法記憶手段に記憶されている記録媒体の寸法に応じた量だけ前記記録媒体を上方に搬送するように構成されている記録装置。
【請求項４】
請求項１〜３のいずれか一つに記載の記録装置であって、
上方搬送手段は、記録媒体の下端部を支持する支持板と、当該支持板を上下移動させる駆動機構とを備えている記録装置。
【請求項５】
請求項１〜３のいずれか一つに記載の記録装置であって、
収容部には、記録媒体の幅方向に移動することによって前記記録媒体の寸法に応じた所定位置に設定され且つ前記記録媒体の側辺部を規制する側板が設けられ、
上方搬送手段は、前記側板の設定位置において分割され且つ前記記録媒体の下端部を支持する複数の分割板と、当該分割板を上下移動させる駆動機構とを備えている記録装置。
【請求項６】
請求項１〜３のいずれか一つに記載の記録装置であって、
収容部には、記録媒体の幅方向に移動することによって前記記録媒体の寸法に応じた所定位置に設定され且つ前記記録媒体の側辺部を規制する側板が設けられ、
上方搬送手段は、前記側板の設定位置に対応した位置に前記側板を挿通させる挿通口が形成され且つ前記記録媒体の下端部を支持する支持板と、当該支持板を上下移動させる駆動機構とを備えている記録装置。
【請求項７】
請求項５または６に記載の記録装置であって、
収容部内の記録媒体の寸法を検出する寸法検出手段と、
前記寸法検出手段の検出した記録媒体の寸法と前記側板の設定位置とが対応しているか否かを判定し、対応していないときには上方搬送手段の動作を中止させる保護機構とを備えている記録装置。
【請求項８】
請求項５または６に記載の記録装置であって、
記録媒体の寸法を入力する入力手段と、
前記入力手段に入力された記録媒体の寸法を記憶する寸法記憶手段と、
前記寸法記憶手段に記憶されている記録媒体の寸法と前記側板の設定位置とが対応しているか否かを判定し、対応していないときには上方搬送手段の動作を中止させる保護機構とを備えている記録装置。
【請求項９】
請求項５または６に記載の記録装置であって、
収容部内の記録媒体の寸法を検出する寸法検出手段と、
前記寸法検出手段の検出した記録媒体の寸法と前記側板の設定位置とが対応しているか否かを判定し、対応していないときには警告を発する警告手段とを備えている記録装置。
【請求項１０】
請求項５または６に記載の記録装置であって、
記録媒体の寸法を入力する入力手段と、
前記入力手段に入力された記録媒体の寸法を記憶する寸法記憶手段と、
前記寸法記憶手段に記憶されている記録媒体の寸法と前記側板の設定位置とが対応しているか否かを判定し、対応していないときには警告を発する警告手段とを備えている記録装置。
【請求項１１】
請求項１〜１０のいずれか一つに記載の記録装置であって、
有線または無線による排出命令信号が入力される排出スイッチを備え、
上方搬送手段は、前記排出スイッチが入力されると搬送動作を開始するように構成されている記録装置。
【請求項１２】
請求項１〜１１のいずれか一つに記載の記録装置であって、
収容部への記録媒体の収容が完了すると所定の通知を行う通知手段を備えている記録装置。
【請求項１３】
請求項１〜１２のいずれか一つに記載の記録装置であって、
排出口を開閉する開閉蓋を備えている記録装置。
【請求項１４】
請求項１〜１３のいずれか一つに記載の記録装置であって、
記録部は、非接触式の記録ヘッドを有している記録装置。
【請求項１５】
請求項１４に記載の記録装置であって、
記録ヘッドは、インクジェットヘッドにより構成されている記録装置。
【発明の詳細な説明】
【０００１】
【発明の属する技術分野】
本発明は、記録装置に関する。
【０００２】
【従来の技術】
図２２（ａ）に示すように、一般に普及しているプリンタ２００では、プリンタ本体２０１の上側に給紙トレイ２０２が設けられ、プリンタ本体２０１の前側に排紙トレイ２０３が設けられている。しかし、このような構成では、図２２（ｂ）に示すように、プリンタ２００を設置するために必要とされる設置スペース２０４は、プリンタ本体２０１に比較して相当大きなものとなる。そこで、設置スペースの低減を図るために、特開平１１−３３４９６３号公報には、図２３に示すように、薄型且つ縦長形状のプリンタ本体２１１を備え、給紙トレイ２１２と排紙トレイ２１３とがプリンタ本体２１１から斜め上方向に延びたいわゆる縦置き型のプリンタが提案されている。
【０００３】
【発明が解決しようとする課題】
しかし、上記公報に開示されたプリンタでは、給紙トレイ２１２及び排紙トレイ２１３がプリンタ本体２１１から斜め上方向に突出していたため、両トレイ２１２，２１３の突出分だけ、余分な設置スペースが必要であった。したがって、設置スペースの更なる低減を図ることが困難であった。
【０００４】
本発明は、かかる点に鑑みてなされたものであり、その目的とするところは、記録装置本体から突出する排紙トレイを削除することにより、記録装置のより一層の省スペース化を図ることにある。
【０００５】
【課題を解決するための手段】
本発明に係る記録装置は、上方または斜め上方に開口する排出口が少なくとも形成された装置ケーシングと、前記装置ケーシング内に設けられ、記録媒体に対して記録を行う記録部と、前記装置ケーシング内に設けられ、前記記録部によって記録が行われた記録媒体を搬送する搬送手段と、前記装置ケーシング内において上下方向または斜め上下方向に延びるとともに前記排出口に連続する収容空間を区画形成し、前記搬送手段によって搬送された記録媒体を当該記録媒体の周囲全てを覆いつつ起立した状態に収容する収容部と、前記収容部に設けられ、記録媒体の取り出し時に、排出命令信号の入力により、前記収容部に収容された記録媒体の一部または全部を前記排出口から排出するように前記記録媒体を上方に搬送する上方搬送手段とを備えているものである。
【０００６】
上記記録装置では、装置ケーシング内に設けられた収容部が収容空間を区画形成するとともに記録媒体を起立した状態に収容するので、従来のようなケーシングから斜め方向に突出する排紙トレイは不要となる。そのため、記録装置の設置スペースの低減が図られる。また、収容部は記録媒体の周囲全てを覆っているので、ユーザが記録直後の記録媒体に触れることがなく、記録媒体が汚れるおそれはない。
【０００７】
さらに、記録媒体は、収容部に収容されているときにはその周囲全てを覆われているものの、排出の際には、排出命令信号の入力により、その一部または全部が上方搬送手段によって排出口から排出されることになる。そのため、記録媒体を容易に取り出すことができる。また、記録媒体の一部または全部が排出口から突出するので、記録媒体の排出状態を目視で確認することができる。
【０００８】
前記記録装置は、収容部内の記録媒体の寸法を検出する寸法検出手段を備え、上方搬送手段は、記録媒体を排出口から所定の一定長さだけ突出させるように、前記寸法検出手段により検出された記録媒体の寸法に応じた量だけ前記記録媒体を上方に搬送するように構成されていることが好ましい。
【０００９】
あるいは、前記記録装置は、記録媒体の寸法を入力する入力手段と、前記入力手段に入力された記録媒体の寸法を記憶する寸法記憶手段とを備え、上方搬送手段は、記録媒体を排出口から所定の一定長さだけ突出させるように、前記寸法記憶手段に記憶されている記録媒体の寸法に応じた量だけ前記記録媒体を上方に搬送するように構成されていてもよい。
【００１０】
このことにより、記録媒体の寸法が異なっている場合であっても、上方搬送手段は、常に記録媒体を排出口から一定長さだけ突出させることになる。そのため、記録媒体を取り出す際に装置の上方に必要とされる取出用スペースは、記録媒体の寸法の相違に拘わらず一定となる。
【００１１】
上方搬送手段は、記録媒体の下端部を支持する支持板と、当該支持板を上下移動させる駆動機構とを備えていてもよい。
【００１２】
このことにより、上方搬送手段が簡易に構成される。
【００１３】
収容部には、記録媒体の幅方向に移動することによって前記記録媒体の寸法に応じた所定位置に設定され且つ前記記録媒体の側辺部を規制する側板が設けられ、上方搬送手段は、前記側板の設定位置において分割され且つ前記記録媒体の下端部を支持する複数の分割板と、当該分割板を上下移動させる駆動機構とを備えていることが好ましい。
【００１４】
このことにより、側板を記録媒体の寸法に応じた所定の位置に設定することにより、この側板が記録媒体の側辺部を規制することになる。そのため、記録媒体の幅方向のずれがなくなり、記録媒体の収容状態が向上する。記録媒体を支持する支持板が複数の分割板によって形成されているので、支持板の上下移動の際に支持板と側板との衝突が防止され、上方搬送動作は円滑に行われる。
【００１５】
収容部には、記録媒体の幅方向に移動することによって前記記録媒体の寸法に応じた所定位置に設定され且つ前記記録媒体の側辺部を規制する側板が設けられ、上方搬送手段は、前記側板の設定位置に対応した位置に前記側板を挿通させる挿通口が形成され且つ前記記録媒体の下端部を支持する支持板と、当該支持板を上下移動させる駆動機構とを備えていてもよい。
【００１６】
このことにより、記録媒体の収容状態が向上する。また、支持板には挿通口が形成されているので、支持板の上下移動の際に支持板と側板との衝突が防止され、上方搬送動作は円滑に行われる。
【００１７】
前記記録装置は、収容部内の記録媒体の寸法を検出する寸法検出手段と、前記寸法検出手段の検出した記録媒体の寸法と前記側板の設定位置とが対応しているか否かを判定し、対応していないときには上方搬送手段の動作を中止させる保護機構とを備えていることが好ましい。
【００１８】
あるいは、記録媒体の寸法を入力する入力手段と、前記入力手段に入力された記録媒体の寸法を記憶する寸法記憶手段と、前記寸法記憶手段に記憶されている記録媒体の寸法と前記側板の設定位置とが対応しているか否かを判定し、対応していないときには上方搬送手段の動作を中止させる保護機構とを備えていてもよい。
【００１９】
このことにより、記録媒体の寸法と側板の設定位置とが対応していない状態で分割板または支持板が上下移動を行うことはなく、分割板または支持板と側板との衝突は未然に回避される。したがって、分割板または支持板と側板との破損を確実に防止することができ、装置の信頼性が向上する。
【００２０】
前記記録装置は、収容部内の記録媒体の寸法を検出する寸法検出手段と、前記寸法検出手段の検出した記録媒体の寸法と前記側板の設定位置とが対応しているか否かを判定し、対応していないときには警告を発する警告手段とを備えていることが好ましい。
【００２１】
あるいは、記録媒体の寸法を入力する入力手段と、前記入力手段に入力された記録媒体の寸法を記憶する寸法記憶手段と、前記寸法記憶手段に記憶されている記録媒体の寸法と前記側板の設定位置とが対応しているか否かを判定し、対応していないときには警告を発する警告手段とを備えていてもよい。
【００２２】
このことにより、記録媒体の寸法と側板の設定位置とが対応していない場合には、警告手段によって警告が発せられるので、ユーザはそのことを迅速に認識することができる。
【００２３】
前記記録装置は、有線または無線による排出命令信号が入力される排出スイッチを備え、上方搬送手段は、前記排出スイッチが入力されると搬送動作を開始するように構成されていてもよい。
【００２４】
このことにより、記録媒体を取り出す必要がないときには、排出スイッチをＯＦＦにすることにより記録媒体を収容部に収容しておく一方、記録媒体を取り出す必要があるときには、排出スイッチをＯＮすることにより、記録媒体を容易に取り出すことができる。
【００２５】
前記記録装置は、収容部への記録媒体の収容が完了すると所定の通知を行う通知手段を備えていてもよい。
【００２６】
このことにより、通知手段による通知によって記録媒体の収容の完了を容易に認識することができる。
【００２７】
前記記録装置は、排出口を開閉する開閉蓋を備えていることが好ましい。
【００２８】
上記記録装置では、記録媒体を排出するとき以外は上記開閉蓋を閉鎖しておくことにより、収容部への塵や挨の侵入を防止することができる。
【００２９】
記録部は、非接触式の記録ヘッドを有していることが好ましい。
【００３０】
このことにより、非接触式の記録ヘッドは比較的小さな記録ヘッドであるので、装置の小型化及び薄型化が促進される。
【００３１】
記録ヘッドは、インクジェットヘッドにより構成されていることが好ましい。
【００３２】
インクジェットヘッドは様々な記録媒体に記録を行うことができるので、使用可能な記録媒体の種類が拡大する。また、高画質の記録を得ることができる。ヘッド自体が小型であるので、装置の小型化が促進される。
【００３３】
【発明の効果】
以上のように、本発明によれば、記録媒体を起立した状態に収容する収容部を装置ケーシングの内部に設けることとしたので、設置スペースの低減を図ることができる。また、収容部は記録媒体の周囲全てを覆っているので、記録直後の記録媒体の汚れを防止することができる。さらに、排出命令信号の入力により記録媒体を排出口から排出する上方搬送手段を設けることにより、記録媒体を容易に取り出すことができる。
【００３４】
【発明の実施の形態】
以下、本発明の実施の形態を図面に基づいて説明する。
【００３５】
＜実施形態１＞
図１及び図２に示すように、実施形態１に係る記録装置は、いわゆる縦置き設置が可能なインクジェット式のプリンタ１である。プリンタ１はいわゆる横置き設置も可能であるが、以下では縦置き設置した場合について説明する。
【００３６】
プリンタ１のケーシング１０は、縦長の直方体形状に形成されている。ケーシング１０の天板２５の左側部には給紙口１１が設けられ、右側部には排紙口１２が設けられている。給紙口１１及び排紙口１２は、いずれも前後方向に細長い開口であり、上向きに開口している。給紙口１１及び排紙口１２には、それぞれ蓋２３，２４が設けられている。
【００３７】
図２に示すように、ケーシング１０には、天板２５から下向きに延びる２つの区画板１９，２０と、ケーシング１０内の下部において左側板２６から右向きに延びる区画板２１と、ケーシング１０内の下部において右側板２７から左向きに延びる区画板２２とが設けられている。ケーシング１０の内部はこれら区画板１９，２０，２１，２２によって仕切られており、ケーシング１０の内部には、給紙部１３と制御部１６と記録部１７と排紙部１５とが形成されている。すなわち、ケーシング１０内の左側部分には、左側板２６と区画板１９と区画板２１とによって仕切られた給紙部１３が形成されている。ケーシング１０内の右側部分には、右側板２７と区画板２０と区画板２２とによって仕切られた排紙部１５が形成されている。ケーシング１０内の中央部の下側部分には、インクジェットヘッド１８を有する記録部１７が形成されている。記録部１７の上側には、区画板１９と区画板２０とによって仕切られた制御部１６が形成されている。なお、制御部１６と記録部１７とは、本体部７０を構成している。
【００３８】
給紙部１３の左側板２６と区画板１９と区画板２１とは、印字前の記録紙を収容する供給側収容部を形成している。区画板１９には、記録紙４０の紙倒れを防止するための紙倒れ防止機構５４が設けられている。紙倒れ防止機構５４は、区画板１９に固定されたバネ５５と、バネ５５の先端に固定されたローラ５６とを備えている。この紙倒れ防止機構５４は、バネ５５の付勢力によって記録紙４０の上端部を左側板２６側に押さえつけることにより紙倒れを防止する一方、ローラ５６の回転によって記録紙４０の搬送を円滑化するものである。
【００３９】
給紙部１３には、区画板２１と左側板２６とに立て掛けられた傾斜板２８と、区画板２１上の先端側（図２の右側）に設けられた埋没自在な突起２９とが設けられている。傾斜板２８の下端部に対向する位置には、ピックアップローラ３０が設けられている。これら傾斜板２８、突起２９及びピックアップローラ３０は、給紙部１３内の記録紙４０を記録部１７側に向かって一枚毎に送り出すための用紙送り出し手段を構成している。給紙部１３内の紙を送り出す際には、突起２９が区画板２１内に埋没するとともに傾斜板２８の傾き度合いが大きくなり、傾斜板２８上の記録紙４０の下端部がピックアップローラ３０と接触する。そして、ピックアップローラ３０が回転することにより、傾斜板２８上の最も上側に位置する記録紙４０のみが記録部１７側に送り出されることになる。
【００４０】
ピックアップローラ３０の下方には、前後方向（図２の紙面表裏方向）に複数配列されたピンチローラ（分割ローラ）３１と、これらピンチローラ３１と対向するように配置された駆動ローラからなる給紙ローラ３２とが設けられている。ピックアップローラ３０とピンチローラ３１と給紙ローラ３２とは、上下方向に一直線上に並んでいる。そのため、ピックアップローラ３０と給紙ローラ３２とは、上下方向にオーバーラップしている。ピンチローラ３１の左方には、給紙部１３から記録部１７に向かって延びるガイド板３３が設けられている。このガイド板３３は、給紙部１３から搬送される記録紙４０の先端部を給紙ローラ３２とピンチローラ３１との間に導くものである。なお、ピックアップローラ３０とピンチローラ３１と給紙ローラ３２とは、供給側搬送機構を構成している。
【００４１】
図３に示すように（なお、図２においては、記録部１７の詳細な構成は省略している。）、記録部１７は、記録ヘッドとしてのインクジェットヘッド１８と、インクジェットヘッド１８にインクを供給するインクタンク３６とを備えている。本実施形態のインクジェットヘッド１８は、ピエゾ式のインクジェットヘッドである。ただし、記録ヘッドには、バブル式のインクジェットヘッド等、その他のヘッドを用いてもよい。インクタンク３６はインクジェットヘッド１８に一体的に取り付けられている。インクジェットヘッド１８及びインクタンク３６は、前後方向（図３の左右方向）に延びるキャリッジ軸３７に対して往復移動自在に取り付けられている。キャリッジ軸３７の下方には、インクジェットヘッド１８のヘッド面と対向するように配置されたプラテン３４が設けられている。
【００４２】
プラテン３４の後側には、インクジェットヘッド１８が非記録位置にあるときにインクジェットヘッド１８のヘッド面を覆うキャップ３８が設けられている。キャップ３８にはインク排出用のチューブ３９が取り付けられており、このチューブ３９にはインク吸引機構４１が設けられている。インク吸引機構４１は、インクジェットヘッド１８のインクをキャップ３８内に吸引除去し、さらにキャップ３８内のインクをチューブ３９を通じてインク容器４２に排出するものである。インク吸引機構４１の構成は特に限定されるものではなく、例えば図４（ａ）及び（ｂ）に示すように、吸引弁４３及び排出弁４４を備えた蛇腹状の伸縮体４５によって構成されたポンプであってもよい。
【００４３】
インクジェットヘッド１８は、ノズル内のインクの増粘を防止するために、非記録位置において間欠的に全ノズルからインクを吐出するように構成されている。図３に示すように、プラテン３４の前側には、そのように吐出されたインクを回収するインク容器３５が設けられている。なお、キャップ３８、インク容器４２及びインク容器３５の内部には、主としてインクの飛散を防止するために、スポンジ等からなるインク吸収体４６が設けられている。
【００４４】
図２に示すように、プラテン３４の右方には、駆動ローラからなる排紙ローラ４７と、排紙ローラ４７と対向するように配置された拍車ローラ４８とが設けられている。拍車ローラ４８は、前後方向に所定間隔毎に配列された複数の小ローラからなっている。拍車ローラ４８は、記録紙４０を所定間隔毎に押さえつけることによって記録紙４０に適度な張力を与え、ジャム（紙詰まり）の発生を防止している。
【００４５】
インクジェット方式の記録では、記録紙４０にインク滴を着弾させてインクドットを形成するが、記録紙４０にインク滴が着弾すると、インクに含まれる溶媒は直ちに蒸発する。すると、記録紙４０の収縮が起こり、そのままでは記録紙４０に皺や波打ちが発生し、インクジェットヘッド１８と記録紙４０との間の間隔が変動して記録の品質が低下しやすい。そこで、本実施形態では、排紙ローラ４７の対向ローラとして拍車ローラ４８を用い、記録紙４０に張力を与えることによって、記録紙４０のプラテン３４上の領域を平坦な面にしている。また、拍車ローラ４８は、インクドットが形成された直後の記録面と直接接触するため、記録面との接触面積は小さい方がよい。そこで、本プリンタ１では、拍車ローラ４８を、複数の小ローラからなるいわゆる分割拍車ローラによって形成することとした。
【００４６】
プラテン３４の右側部の上方には、記録紙４０を排紙ローラ４７と拍車ローラ４８との間に導くガイド板４９が設けられている。ガイド板４９は水平方向に延びる板状部材からなり、その左端部は記録紙４０を導入しやすいように上方に傾斜している。
【００４７】
排紙ローラ４７及び拍車ローラ４８の右方には、記録紙４０の搬送経路を排紙部１５に向かって右斜め上方に変更させる経路変更板５０が設けられている。
【００４８】
経路変更板５０の右上方には、駆動ローラ５１と対向ローラ５２とが設けられている。駆動ローラ５１及び対向ローラ５２の上方には、左右方向に移動自在な押し込み体５３が設けられている。押し込み体５３は、駆動ローラ５１及び対向ローラ５２によって搬送された記録紙４０の後端部を排紙部１５内に押し込むものである。本実施形態では、押し込み体５３は平板形状に形成されているが、押し込み体５３の形状は特に限定されるものではなく、円柱形状、角柱形状等、他の形状であってもよい。なお、排紙ローラ４７、拍車ローラ４８、経路変更板５０、駆動ローラ５１、及び対向ローラ５２は、排出側搬送機構（搬送手段）を構成している。
【００４９】
排紙部１５の右側板２７と区画板２０と区画板２２とは、記録後の記録紙４０を収容する排紙側収容部を形成している。給紙部１３と同様、排紙部１５の区画板２０にも、バネ５５及びローラ５６を有する紙倒れ防止機構５４が設けられている。区画板２２の先端部は、収容した記録紙４０を脱落させないように上方に屈曲している。
【００５０】
また、排紙部１５には、上方搬送手段として、図示しない駆動機構によって上下移動自在な移動板５７が設けられている。移動板５７の上面は平滑面であり、記録紙４０の後端部を支持する支持面を形成している。移動板５７は、記録時には排紙部１５の底部（つまり、区画板２２の表面上）に位置する一方、記録紙４０を排紙口１２から取り出す際には、上方に移動する。このように移動板５７が上方に移動することにより、記録紙４０は排紙口１２から所定長さ分だけ突出する。したがって、ユーザは記録紙４０の上端部をつまんで引き出すことによって、排紙部１５の内部に手を挿入することなく記録紙４０を容易に取り出すことができる。
【００５１】
移動板５７は、記録紙４０の後端部を上方に移動させるためのものであれば何でもよく、金属、プラスチック、セラミックスや、それらの複合体等を好適に使用することができる。また、移動板５７の形状は特に限定されず、例えば、板状、棒状、矩形、円形、三角形や多角形等の形状であってもよい。
【００５２】
図５に示すように、排紙部１５には、記録紙４０の側辺部を規制する用紙隔壁６０が設けられている。用紙隔壁６０は前後方向（つまり、記録紙４０の幅方向）に移動自在な平板であり、記録紙４０の用紙サイズに応じて手動または自動で上記方向に移動する。
【００５３】
移動板５７には、移動板５７の上下移動の際に用紙隔壁６０を挿通させる第１及び第２の挿通口６４，６５が形成されている。第１挿通口６４は、記録紙４０がＡ６サイズの用紙の場合に用紙隔壁６０が設定される位置に形成されている。第２挿通口６５は、記録紙４０がＡ５サイズの用紙の場合に用紙隔壁６０が設定される位置に形成されている。このように挿通口６４，６５が形成されていることにより、記録紙４０の取り出しの際に移動板５７と用紙隔壁６０との衝突が防止され、移動板５７の円滑な昇降動作が確保されている。
【００５４】
なお、制御部１６には、給紙部１３に収容された用紙サイズを検出する用紙サイズ検出器７１と、用紙隔壁６０の設定位置が記録紙４０の用紙サイズに対応しているか否かを判定し、対応していないときに警告を発するアラーム機構７２とが設けられている。用紙サイズ検出器７１は、用紙サイズを自動的に検出するものであってもよい。また、用紙サイズをユーザの手動による設定入力により検出するものであってもよい。例えば、用紙サイズ検出器７１は、ユーザが記録紙４０のサイズを入力する入力部（図示せず）と、当該入力部に入力された記録紙４０のサイズを記憶する記憶部（図示せず）とを備えていてもよい。また、入力は、例えばパソコンやリモコン等における操作によって行われてもよい。つまり、入力を遠隔操作で行ってもよい。
【００５５】
アラーム機構７２には、警告音を発信する機構や、プリンタ１の表示部（図示せず）に所定の警告を表示させる機構等を用いることができる。また、アラーム機構７２は、プリンタ１の破損を防止するため、用紙隔壁６０の設定位置が記録紙４０の用紙サイズに対応しているか否かを判定し、対応していないときに移動板５７の移動を強制的に中止させる保護機構（図示せず）を備えていてもよい。
【００５６】
図６に示すように、移動板５７の上昇位置は、排紙口１２から突出する記録紙４０の突出長さＬが一定となるように、記録紙４０の用紙サイズに応じて異なっている。すなわち、移動板５７は、用紙サイズが小さいほど高い位置にまで上昇するように構成されている。例えば、図６（ａ）に示すように、記録紙４０ａがＡ６サイズの用紙の場合には、移動板５７は最も上方の第１位置にまで上昇する。図６（ｂ）に示すように、記録紙４０ｂがＡ５サイズの用紙の場合には、移動板５７は上記第１位置よりも低い第２位置にまで上昇する。図６（ｃ）に示すように、記録紙４０ｃがＡ４サイズの用紙の場合には、移動板５７は最も低い第３位置にまで上昇する。したがって、用紙サイズの異なる複数種類の記録紙４０ａ〜４０ｃを用いた場合であっても、各記録紙４０ａ〜４０ｃの排紙口１２からの突出長さは一定となり、記録紙４０ａ〜４０ｃの取り出し作業は容易になる。また、用紙サイズの大きな記録紙４０ｃを取り出す場合であっても、プリンタ１の上方に必要とされる空間は小さくてすむ。そのため、設置スペースを低減することができる。
【００５７】
図１に示すように、ケーシング１０の前面には、排出スイッチ５８と、排出完了表示部５９とが設けられている。排出スイッチ５８は、ユーザが排紙部１５の記録紙４０を取り出す際に入力するスイッチである。当該排出スイッチ５８の入力により、排紙部１５の蓋２４が開放されるとともに移動板５７が上昇し、排紙口１２から記録紙４０の一部が突出する。これにより、ユーザは記録紙４０を容易に取り出すことができる。排出スイッチ５８は、押しボタンスイッチ等の公知のスイッチの他、リモコン等によって遠隔操作される各種スイッチ等によって構成することができる。排出完了表示部５９は、排紙部１５内の記録紙４０の有無を通知するための表示部であり、記録紙４０の排紙部１５への収容が完了して排紙部１５内に記録紙４０が残っているときには点灯し、記録紙４０の取り出しが完了すると消灯する。ただし、排出完了表示部５９の表示方法は特に限定されるものではなく、記録紙４０の取り出しが完了したときに点灯するように構成されていてもよい。また、排出完了表示部５９は独立した表示部であってもよく、プリンタ１の各種設定のために用いられる表示部（図示せず）と兼用されていてもよい。
【００５８】
以上のように、本実施形態に係るプリンタ１では、給紙部１３及び排紙部１５は上向きに延びており、本体部７０は給紙部１３と排紙部１５との間に設けられている（図２参照）。また、給紙部１３から記録部１７に至る搬送経路及び記録部１７から排紙部１５に至る搬送経路は、それぞれ記録紙４０の搬送方向を略直角方向に変化させるように形成されている。給紙部１３から排紙部１５に至る搬送経路の全体は、略Ｕ字型に形成されている。
【００５９】
図７に示すように、記録部１７から排紙部１５に向かう搬送経路の変更角度θ、つまり記録部１７における搬送方向Ｄ１と排紙部１５に向かう搬送方向Ｄ２とのなす角の角度θは、９０度〜１８０度となっている。なお、角度θは９０度〜１５０度が好ましく、１１０度〜１３０度が特に好ましい。本実施形態では、上記角度θは約１２０度に設定されている。このように角度θを９０度〜１８０度とした理由は、記録紙４０自体の復元力によって記録紙４０をプラテン３４に押しつけ、記録面を平坦化するためである。
【００６０】
図１及び図２に示すように、給紙部１３の給紙口１１と排紙部１５の排紙口１２とは、天板２５と同じ高さに設けられている。また、蓋２３，２４を閉じた状態において、ケーシング１０の上面は面一となる。したがって、ケーシング１０の上に記録紙等を一時的に載置することができ、プリンタ１の上方のスペースを有効活用することができる。
【００６１】
次に、図２を参照しながら、給紙から排紙に至るまでの動作について説明する。
【００６２】
給紙の際には、まず、給紙部１３の蓋２３が開放され、給紙口１１から記録紙４０が挿入される。挿入された記録紙４０は、それらの下辺部が突起２９によって支持された状態で、給紙部１３内に収容される。通常は複数枚の記録紙４０が収容されるが、１枚の記録紙４０のみを収容してもよいことは勿論である。
【００６３】
記録動作の際には、突起２９が埋没すると同時に、傾斜板２８の下端部が右側に移動するように傾斜板２８が移動する。これにより、傾斜板２８上の最も上側に位置する記録紙４０がピックアップローラ３０と接触し、ピックアップローラ３０の回転によって上記記録紙４０が取り出される。そして、この記録紙４０は、給紙ローラ３２によって記録部１７に搬送される。
【００６４】
記録部１７においては、インクジェットヘッド１８から記録紙４０に向かってインク滴が吐出される。これらインク滴は記録紙４０に着弾し、記録紙４０上に複数のインクドットを形成する。そして、これらインクドットにより、記録紙４０上に所望の画像等が形成される。
【００６５】
画像等が形成された記録紙４０は、排紙ローラ４７によって搬送され、経路変更板５０によって搬送経路を変えた後、駆動ローラ５１によって排紙部１５に搬送される。排紙部１５に搬送された記録紙４０は、その後端部が押し込み体５３によって右方向に押し込まれることにより、排紙部１５内に起立した状態で収容される。なお、起立した状態とは、例えば図８（ａ）〜（ｅ）のいずれかに示されたような状態をいう。
【００６６】
上述の搬送動作及び記録動作は記録紙４０ごとに連続して行われ、その結果、排紙部１５に複数枚の記録紙４０が収容される。その後は、ユーザが排出スイッチ５８をＯＮすることにより、排紙部１５の蓋２４が開放され、移動板５７の上昇によって記録紙４０が上方に持ち上げられる。その結果、記録紙４０の一部が排紙口１２から突出することになり、ユーザは記録紙４０を容易に取り出すことができる。
【００６７】
なお、上記説明では、プリンタ１を縦置き設置した場合を説明したが、本プリンタ１は横置き設置も可能である。なお、横置き設置の場合には、移動板５７は上下方向に移動する代わりに水平方向に移動することになる。具体的には、図９に示すように、記録紙４０を水平状態で供給及び排出するように横置きすることができ、また、図１０に示すように、記録紙４０を垂直状態で供給及び排出するように横置きすることも可能である。本プリンタ１は、設置スペース及び設置環境に応じて、縦置き及び横置きのいずれの設置態様も自由に選択することができる。
【００６８】
以上のように、本プリンタ１では、給紙部１３及び排紙部１５が互いに平行に形成されているので、プリンタの全体形状が薄型になっている。したがって、プリンタの小型化を促進することができ、設置スペースの削減を図ることができる。従来のようにプリンタ専用のラック等は不要となり、例えば、縦置き設置する場合には、テレビの横やタワー型パソコンの側方などの小さなスペースにも設置することが可能となる。また、リビングに置いても、違和感なく使用することができる。
【００６９】
縦置き設置の場合に、給紙部１３及び排紙部１５のそれぞれが鉛直方向に延びる状態となるので、プリンタ１は転倒しにくくなる。特に、本実施形態では、給紙部１３と排紙部１５とは本体部７０を挟んで反対側に配置されているので、プリンタ１の全体の重心は、ケーシング１０の中央部に位置しやすくなる。そのため、プリンタ１の転倒のおそれは少ない。また、記録動作時の振動が抑制される。したがって、記録動作は安定し、印字品質は向上する。
【００７０】
ピックアップローラ３０と給紙ローラ３２とがケーシング１０の長手方向にオーバーラップしているので、ケーシング１０の幅を薄くすることができる。
【００７１】
記録部１７の記録ヘッドとしてインクジェットヘッド１８を用いているので、記録部１７を小型化することができる。また、高画質の画像を得ることができる。
【００７２】
記録部１７における搬送方向Ｄ１と排紙部１５に向かう搬送方向Ｄ２とのなす角の角度θが１８０度よりも小さいので、プラテン３４上の記録紙４０は、記録紙４０自体の復元力によってプラテン３４側に押さえつけられる。したがって、記録紙４０の後端部がプラテン３４上から跳ね上がることはない。そのため、記録紙４０の記録面の位置が変動することがなく、記録品質は向上する。また、記録紙４０の後端部がインクジェットヘッド１８に接触するおそれがなく、記録紙４０によるインクジェットヘッド１８の損傷は起こらない。
【００７３】
ところで、記録紙４０に張力を与えるための拍車ローラ４８として分割拍車ローラを用いる装置では、拍車ローラ４８だけでは記録紙４０に与えられる張力は小さくなりやすい。また、記録紙４０に与えられる張力は不均一になりやすい。しかし、本実施形態のプリンタ１では、記録紙４０自体の復元力によって記録紙４０がプラテン３４側に押さえつけられるので、記録紙４０の全体が適度な力で且つ均一にプラテン３４に押しつけられる。したがって、分割拍車ローラを用いているにも拘わらず、記録紙４０の記録面を十分に平坦化することができる。
【００７４】
縦置き設置の場合に、排紙部１５に導入された記録紙４０の後端部を押し込み体５３によって排紙部１５側に押し込むこととしたので、ジャムの発生をより確実に防止することができる。すなわち、複数枚の記録紙４０を連続印刷する際に、先に印字された記録紙４０の後端部が駆動ローラ５１及び対向ローラ５２の近傍に残っていると、後から印字された記録紙４０の先端部が先の記録紙４０の後端部と接触し、ジャムを発生しやすくなる。しかし、本実施形態によれば、先の記録紙４０の後端部は押し込み体５３によって排紙部１５の右側板２７側に押し込まれるので、先の記録紙４０が後の記録紙４０の搬送経路を邪魔することがなく、ジャムの発生は未然に防止される。
【００７５】
記録部１７はケーシング１０の下部に設けられ、その周りを覆われているので、ユーザが誤って記録部１７に触れることはない。したがって、ユーザが誤って記録部１７を破損させるおそれはない。
【００７６】
また、印字された記録紙４０は、周囲を覆われた排紙部１５に収容される。そのため、直ちにプリンタ１の外部に排出される従来のプリンタと異なり、ユーザが印字直後の記録紙４０の記録面に触れるおそれはない。したがって、記録紙４０の記録面が十分に乾燥してから記録紙４０を取り出すことになるので、印字のにじみ等は防止される。
【００７７】
給紙部１３及び排紙部１５には開閉自在な蓋２３，２４がそれぞれ設けられているので、給紙部１３及び排紙部１５に塵や挨が入り込むことを防止することができる。したがって、プリンタ１の信頼性及び寿命を向上させることができる。
【００７８】
排出完了表示部５９を設けたので、ユーザが排紙部１５における記録紙４０の有無を容易に把握することができる。
【００７９】
排出スイッチ５８を設け、排出スイッチ５８を入力したときに排紙部１５の蓋２４を開放することとしたので、記録紙４０の取り出しのときにだけ排紙部１５を開放することができる。
【００８０】
−変形例−
なお、記録紙４０を上昇させる移動板５７は、一枚の板に挿通口６４，６５を設ける代わりに、図１１に示すように、互いに分離された複数の移動板６１，６２，６３から構成されていてもよい。この場合、移動板６１，６２，６３のすべてを昇降させてもよく、用紙サイズに応じて１または２の移動板のみを昇降させてもよい。
【００８１】
搬送経路の変更角度θは前述した値に限らず、記録紙４０の後端部が下向きに力を受ける限り、どのような値でもよく、０度以上且つ１８０度未満の範囲内で任意の値をとることができる。
【００８２】
上記実施形態では、ユーザが排出スイッチ５８をＯＮすることにより記録紙４０を取り出すようにしていたが、このような手動の操作に限らず、所定の記録動作が終了すると蓋２４の開放及び移動板５７の移動が自動的に行われるように構成されていてもよい。
【００８３】
また、給紙部１３の左側板２６と区画板１９と区画板２１とで、印字前の記録紙４０を収容する供給側収容部を形成したが、供給側収容部をカセットで構成してもよい。また、排紙部１５の右側板２７と区画板２０と区画板２２とで、印字後の記録紙４０を収容する排紙側収容部を形成したが、排紙側収容部をカセットで構成してもよい。このようにすることにより、記録紙４０を１回で纏めて収容する場合や、纏めて取り出したりする場合に、利便性が向上する。
【００８４】
＜実施形態２＞
図１２に示すように、実施形態２に係るプリンタ１００は、排紙部１５の区画板２２を記録部１７のプラテン３４の表面よりも低い位置に設け、記録部１７からの記録紙４０を排紙部１５に導く駆動ローラ５１及び対向ローラ５２等（図２参照）を省略することとしたものである。
【００８５】
本プリンタ１００では、排紙部１５の排紙口１２は給紙部１３の給紙口１１よりも低い位置に設けられており、排紙部１５の上部には段差部が設けられている。ただし、実施形態１と同様に排紙口１２を給紙口１１と同じ高さに設けてもよいことは勿論である。排紙部１５の区画板２２は、給紙部１３の区画板２１よりも低い位置に設けられている。
【００８６】
本プリンタ１００は、記録部１７から排紙部１５に搬送された記録紙４０を排紙部１５に押し込む押込手段として、実施形態１のようなスライド移動式の押し込み体５３ではなく、図１３（ａ）及び（ｂ）に示すように、回転式の押し込み板１０１を備えている。押し込み板１０１は、記録紙４０の用紙サイズに応じて分割された複数の板、すなわち第１押し込み板１０２と第２押し込み板１０３と第３押し込み板１０４とから構成されている。押し込み板１０２〜１０４の上端部は、回転軸１０５に固定されている。これにより、回転軸１０５を回転させることによって、押し込み板１０１は上端部を中心として回転する。記録紙４０を排紙部１５に搬送する際には、押し込み板１０１は記録部１７側に傾き（図１３（ｂ）参照）、排紙部１５の導入部分の空間を大きくすることによって記録紙４０の搬送を容易にする。一方、記録紙４０を排紙部１５に収容した後は、押し込み板１０１は右側板２７側に傾き（図１３（ａ）参照）、紙倒れ防止機構５４（図１３においては図示せず）によって記録紙４０を排紙部１５の右側板２７側に押しつける。
【００８７】
排紙部１５には、前後方向（つまり、用紙の幅方向）に移動自在な用紙隔壁１０６が設けられている。この用紙隔壁１０６は、排紙部１５の収容空間を記録紙４０のサイズに応じた大きさに調整するためのものである。押し込み板１０２〜１０４の押し込み動作の際に押し込み板１０２〜１０４が用紙隔壁１０６とぶつからないように、各押し込み板１０２〜１０４の間には、用紙隔壁１０６の厚みよりも幅の広い隙間が形成されている。
【００８８】
第１押し込み板１０２は、Ａ６サイズの記録紙４０に対応した大きさに形成されている。第２押し込み板１０３は、第１押し込み板１０２と共同することによってＡ５サイズの記録紙４０に対応する大きさに形成されている。第３押し込み板１０４は、第１押し込み板１０２及び第２押し込み板１０３と共同することによってＡ４サイズの記録紙４０に対応する大きさに形成されている。そして、記録紙４０がＡ６サイズの用紙の場合には、用紙隔壁１０６は第１押し込み板１０２と第２押し込み板１０３との間に設定される。一方、記録紙４０がＡ５サイズの用紙の場合には、用紙隔壁１０６は第２押し込み板１０３と第３押し込み板１０４との間に設定される。記録紙４０がＡ４サイズの用紙の場合には、用紙隔壁１０６は第３押し込み板１０４の後側（図１３（ａ）に示す左側）に設定される。
【００８９】
また、本プリンタ１００では、移動板５７もまた、用紙サイズに応じて第１移動板１０７、第２移動板１０８及び第３移動板１０９に分割されている。図示は省略するが、移動板１０７〜１０９には、これら移動板１０７〜１０９を上下移動させる駆動機構が設けられている。第１〜第３移動板１０７〜１０９の間にも、用紙隔壁１０６よりも幅の大きな隙間が形成されている。
【００９０】
なお、押し込み板１０１の各板１０２〜１０４は、一体となって回転するように形成されていてもよく、個別に回転するように形成されていてもよい。また、移動板５７の各板１０７〜１０９も、一体となって移動するように形成されていてもよく、個別に移動するように形成されていてもよい。
【００９１】
本実施形態のプリンタ１００も、実施形態１のプリンタ１と同様、縦置き設置及び横置き設置の両方の設置態様が可能である。
【００９２】
本実施形態では、区画板２２をプラテン３４の表面よりも低い位置に設けたので、排紙ローラ４７から搬送された記録紙４０を排紙部１５に導入するための導入機構（実施形態１における駆動ローラ５１及び対向ローラ５２など）は不要となる。したがって、部品点数の削減及びプリンタの更なる小型化が可能となる。また、排紙経路が短縮化されるので、排紙に必要な時間を短くすることができる。  押し込み板１０１が回転式に形成されているので、実施形態１と異なり、記録部１７と排紙部１５との間に押し込み体を収容するためのスペースを設ける必要がない。したがって、プリンタを更に小型化することができる。
【００９３】
−変形例−
上記実施形態では、排紙部１５の区画板２２及び移動板５７は、水平方向に延びる平板形状に形成されていた。しかし、図１４に示すように、区画板２２及び移動板５７を記録部１７側に向かって上方に傾斜する傾斜板によって形成してもよい。区画板２２及び移動板５７を記録部１７に向かって上方に傾斜するように形成することにより、記録紙４０の下端部は右側板２７側に移動しようとする力を受ける。したがって、図１５（ａ）に示すような記録紙４０のたわみを防止することができ、図１５（ｂ）に示すように、記録紙４０を直立状態に保持することが容易になる。
【００９４】
図１６に示すように、紙倒れ防止機構５４を押し込み板１０１と制御部１６との間に設けてもよい。このように紙倒れ防止機構５４を押し込み板１０１の制御部１６側に設けることにより、プリンタ１００を横置きした場合に、押し込み板１０１の上面（右側板２７側の面）に記録紙４０を載置することが容易になる。つまり、押し込み板１０１の上面に紙倒れ防止機構５４が設けられていないので、押し込み板１０１の上面は平らな面となり、記録紙４０を容易に積層することができる。したがって、記録紙４０を整理した状態で収容することができ、記録紙４０の収容状態を向上させることができる。
【００９５】
横置き設置の場合には、排紙ローラ４７と拍車ローラ４８との間から排紙部１５に向かって記録紙４０が導入される際に、移動板５７を若干量だけ水平方向に移動させることにより、記録紙４０の後縁部を排紙部１５の内部に押し出すことが好ましい。これにより、記録紙４０は排紙部１５内の適正な位置に導かれることになる。
【００９６】
横置き設置の場合には、記録紙４０のサイズによっては、排紙部１５に導入したときに記録紙４０の先端部が排紙部１５の蓋２４に接触し、記録紙４０の先端部がたわんでしまうおそれがある。そのような場合は、蓋２４を開放した状態で記録紙４０を排紙部１５に導入することが好ましい。蓋２４は、記録紙４０を排紙部１５に導入する際に自動的に開放するように構成されていてもよい。
【００９７】
＜実施形態３＞
図１７に示すように、本実施形態に係るプリンタ１１０は、排紙部１５の区画板２２を記録部１７側に向かって下方に傾斜するように形成し、区画板２２に記録紙４０の搬送経路の変更機能を持たせることにより、経路変更板５０（図２参照）を省略したものである。
【００９８】
プリンタ１１０の区画板２２は、排紙ローラ４７及び拍車ローラ４８の右側近傍にまで延びており、区画板２２の先端部はプラテン３４の表面よりも低い位置にある。そのため、排紙ローラ４７と拍車ローラ４８との間を通過した記録紙４０は、その先端が区画板２２上を移動することにより、搬送経路が右向き方向から徐々に上向き方向に変更される。このように、本実施形態では、排紙部１５の区画板２２が搬送経路の一部を形成している。
【００９９】
本実施形態では、区画板２２が移動板５７を兼ねている。この場合、用紙サイズの異なる複数の記録紙の突出長さを一定にすることができ、取り出し作業が容易になる。また、構成が簡素化され、装置の更なる小型化が可能になり、かつコストダウンを図ることができる。
【０１００】
以上のように、本実施形態によれば、経路変更板５０を省略することができ、部品点数の削減を図ることが可能となる。また、排紙経路を更に短縮することができ、排紙時間を一層短くすることができる。
【０１０１】
なお、本プリンタ１１０も、縦置き設置及び横置き設置の両方の設置態様が可能である。
【０１０２】
＜実施形態４＞
図１８に示すように、実施形態４に係るプリンタ１１１は、記録部１７から排紙部１５への記録紙４０の挿入を、排紙部１５の右側から行うようにしたものである。
【０１０３】
本実施形態では、給紙部１３の用紙送り出し手段は、傾斜板２８の代わりに、記録紙４０の下端部を記録部１７側に押し込む押し込み板１１２を備えている。したがって、本実施形態における用紙送り出し手段は、押し込み板１１２、突起２９及びピックアップローラ３０によって構成されている。なお、押し込み板１１２は、プリンタ１１１を縦置き設置した場合には左右方向に移動し、横置き設置した場合には上下方向に移動することになる。
【０１０４】
記録部１７のプラテン３４の上方には、記録紙４０をインクジェットヘッド１８とプラテン３４との間に導くガイド板１１３，１１４が設けられている。
【０１０５】
排紙部１５の右側板１１７の下側には、経路変更板５０によって搬送経路が変更された記録紙４０を導入する導入口１１８が形成されている。本実施形態では、駆動ローラ５１及び対向ローラ５２は、導入口１１８に設けられている。
【０１０６】
本実施形態では、印字された記録紙４０は、排紙部１５の区画板２０上に堆積していく。そのため、記録紙４０が堆積する面を収容側壁面と称するとすると、給紙部１３の収容側壁面（つまり左側板２６）と排紙部１５の収容側壁面（区画板２０）とは、同一の側（図１８の左側）に位置することになる。したがって、図１９に示すように、プリンタ１１１を横置きした場合に、給紙部１３の収容側壁面と排紙部１５の収容側壁面とを、共に下面とすることができる。また、横置き設置の場合に、排紙部１５の導入部分は上側に位置することになるので、排紙部１５への記録紙４０の搬送が容易になる。
【０１０７】
なお、横置き設置の場合に記録紙４０の取り出しを容易にするために、排紙部１５の区画板２０に、排紙口１２に向かって上向きに傾斜する傾斜板１１５を設けるようにしてもよい。また、蓋２４を開いた状態で記録紙４０の先端部をつかみやすいように、記録紙４０の先端部を持ち上げる突起１１６を蓋２４の内面に設けるようにしてもよい。
【０１０８】
本実施形態に係るプリンタ１１１も、縦置き設置及び横置き設置の両方の設置態様が可能である。
【０１０９】
＜実施形態５＞
図２０に示すように、実施形態５に係るプリンタ１２０は、給紙部１３と排紙部１５とを隣接させ、記録部１７を排紙部１５の外側に設けたものである。
【０１１０】
本実施形態では、区画板２１の突起２９の右方に、ピックアップローラを兼ねる給紙ローラ１２１が設けられている。給紙ローラ１２１の右側には、対向ローラ１２２が設けられている。記録部１７は、給紙ローラ１２１の右斜め上に設けられている。記録動作の際に記録紙４０が上下方向に搬送されるように、給紙ローラ１２１と対向ローラ１２２との隙間、インクジェットヘッド１８とプラテン３４との隙間、及び排紙ローラ４７と拍車ローラ４８との隙間は、上下方向に並んでいる。本実施形態では、排紙部１５の右側板は実施形態２と同様の押し込み板１０１によって形成されている。
【０１１１】
なお、本実施形態に係るプリンタ１２０も、縦置き設置及び横置き設置の両方の設置態様が可能である。
【０１１２】
＜その他の実施形態＞
上記各実施形態では、給紙部１３及び排紙部１５の長手方向は、それぞれケーシング１０の底面と直交していた。しかし、例えば図２１（ａ）〜（ｃ）に示すように、給紙部１３及び排紙部１５は、それらの長手方向がケーシング１０の底面から傾斜していてもよい。ただし、装置の安定性を高めるために、給紙部１３及び排紙部１５は、それらの長手方向が同一の方向に傾いていないことが好ましい。つまり、給紙部１３の長手方向と排紙部１５の長手方向とは、いずれか一方のみが傾いているか、あるいは、互いに逆の方向に傾いていることが好ましい。具体的には、給紙部１３の長手方向とケーシング１０の底面９０とのなす角の角度θ１は９０度〜１２０度が好ましく、排紙部１５の長手方向とケーシング１０の底面９０とのなす角の角度θ２も９０度〜１２０度が好ましい。上記角度θ１とθ２とが同一の値であれば、左右の対称性が保たれ、安定性が更に向上するのでより好ましい（図２１（ｃ）参照）。
【０１１３】
記録部１７の記録ヘッドは、インクジェットヘッド１８に限らず、他のヘッドでもよい。ただし、記録部１７の小型化のためには、非接触印字方式の記録ヘッドが好ましい。例えば、レーザ露光による感熱記録方式のヘッド、トナーを飛翔させることによって記録を行うトナージェット方式のヘッド等を好適に用いることができる。
【０１１４】
給紙口１１または排紙口１２は、斜め上方向に開口していてもよく、給紙部１３または排紙部１５は斜め上方向に延びていてもよい。
【０１１５】
記録媒体は記録用紙４０に限定されるものではなく、ＯＨＰ用のフィルムなど、その他のシート状記録媒体であってもよい。
【０１１６】
本発明の適用対象はプリンタに限定されず、複写機やＦＡＸ等、他の記録装置であってもよい。
【図面の簡単な説明】
【図１】  プリンタを縦置き設置した場合の斜視図である。
【図２】  プリンタの内部構造を示す断面図である。
【図３】  記録部の要部の概略構成図である。
【図４】  （ａ）及び（ｂ）は、インク吸引機構の断面図である。
【図５】  排紙部の要部の斜視図である。
【図６】  （ａ）〜（ｃ）は、用紙サイズに応じた支持板の上昇位置を説明する概念図である。
【図７】  記録紙の搬送経路を説明する記録部近傍の正面図である。
【図８】  （ａ）〜（ｅ）は、排紙部の断面図である。
【図９】  プリンタを横置き設置した場合の斜視図である。
【図１０】  プリンタを横置き設置した場合の斜視図である。
【図１１】  排紙部の変形例の斜視図である。
【図１２】  プリンタの内部構造を示す断面図である。
【図１３】  （ａ）及び（ｂ）は、排紙部の要部の斜視図である。
【図１４】  プリンタの内部構造を示す断面図である。
【図１５】  排紙部における記録紙のたわみ状態を説明するための図であり、（ａ）は支持板が水平な場合、（ｂ）は支持板が傾斜している場合を示す。
【図１６】  プリンタの内部構造を示す断面図である。
【図１７】  プリンタの内部構造を示す断面図である。
【図１８】  プリンタの内部構造を示す断面図である。
【図１９】  プリンタの内部構造を示す断面図である。
【図２０】  プリンタの内部構造を示す断面図である。
【図２１】  （ａ）〜（ｃ）は、給紙部と排紙部とケーシング底面との位置関係を説明する模式図である。
【図２２】  （ａ）は従来のプリンタの斜視図、（ｂ）は従来のプリンタの側面図である。
【図２３】  従来のプリンタの要部断面図である。
【符号の説明】
１０              ケーシング（装置ケーシング）
１１              給紙口
１２              排紙口（排出口）
１３              給紙部
１４              本体部
１５              排紙部（収容部）
１６              制御部
１７              記録部
１８              インクジェットヘッド（記録ヘッド）
３２              給紙ローラ
３４              プラテン
３６              インクタンク
４０              記録紙（記録媒体）
５０              経路変更板
５３              押し込み体
５４              紙倒れ防止機構
５７              移動板（上方搬送手段，支持板）
６０              用紙隔壁（側板）
６１，６２，６３  移動板（分割板）
６４，６５        挿通口
【図１】
0004167436.tif 000002
【図２】
0004167436.tif 000003
【図３】
0004167436.tif 000004
【図４】
0004167436.tif 000005
【図５】
0004167436.tif 000006
【図６】
0004167436.tif 000007
【図７】
0004167436.tif 000008
【図８】
0004167436.tif 000009
【図９】
0004167436.tif 000010
【図１０】
0004167436.tif 000011
【図１１】
0004167436.tif 000012
【図１２】
0004167436.tif 000013
【図１３】
0004167436.tif 000014
【図１４】
0004167436.tif 000015
【図１５】
0004167436.tif 000016
【図１６】
0004167436.tif 000017
【図１７】
0004167436.tif 000018
【図１８】
0004167436.tif 000019
【図１９】
0004167436.tif 000020
【図２０】
0004167436.tif 000021
【図２１】
0004167436.tif 000022
【図２２】
0004167436.tif 000023
【図２３】
0004167436.tif 000024